(57)【要約】【課題】コラム式水中ポンプの流体損失を小さくしてポンプ効率の低下を抑えることができるコラム式水中ポンプを提供する。【解決手段】コラム３０Ａの水中ポンプ出入用開口部３１ａに着脱自在に接続する９０度エルボ３２Ａ，３２Ｂ，３２Ｃ，３２Ｄを有し、揚水の流れ方向を９０度エルボ３２Ａ，３２Ｂ，３２Ｃ，３２Ｄで円滑に水平方向に変換して流体損失を小さくし、ポンプ効率の低下を抑える。また、従来のコラム式水中ポンプ構造では不可避の鋭いエッジをなくし、コラム３０Ａ内のケーブル類８の損傷を防ぐ。【選択図】  図１
2008309003.tif 000002
【特許請求の範囲】
【請求項１】
水中ポンプを挿入設置するためのコラムを備えたコラム式水中ポンプであって、コラムの水中ポンプ出入用開口部の上部に着脱自在に接続する曲管でなる吐出管を有することを特徴とするコラム式水中ポンプ。
【請求項２】
前記曲管でなる吐出管の出口断面積が、コラムの水中ポンプ出入用開口部の断面積よりも小さいことを特徴とする請求項１に記載のコラム式水中ポンプ。
【請求項３】
前記曲管の上流側に管の断面積を上流側から下流側に向かって縮小する縮径部を設けたことを特徴とする請求項２に記載のコラム式水中ポンプ。
【請求項４】
前記吐出管はコラム内に据え付けられた水中ポンプから延び出るケーブル類を地上へと引き出すための引出口を設け、この引出口をケーブル類を保持する保持具を着脱自在に取り付けて閉鎖するとともに、前記保持具は引出口に対する取付部とコラムの水中ポンプ出入用開口部に着脱自在に取り付ける取付部とを備えたことを特徴とする請求項１から請求項３の何れか１項に記載のコラム式水中ポンプ。
【請求項５】
前記曲管の上流側端の中心は、前記コラムの中心線に対して曲管の曲り方向に偏心しており、前記ケーブル類を保持する保持具は、前記コラムの中心線に対して曲管とは逆の方向に配置されていることを特徴とする請求項４に記載のコラム式水中ポンプ。
【発明の詳細な説明】
【技術分野】
【０００１】
本発明はコラム式水中ポンプに関する。
【背景技術】
【０００２】
図１９に従来のコラム式水中ポンプを示す。図において、符号１は吸水槽２に設置したコラム式水中ポンプであり、コラム式水中ポンプ１は、吸水槽２の天壁２ａから垂下されたコラム３と、コラム３の下部に据え付けられた水中ポンプ４とで構成されている。
【０００３】
コラム３は、垂直な軸心を有する円筒状の直管でなる揚水管３ａと、水平な軸心を有し、かつ、口径が揚水管３ａより小さい円筒状の排水管１０に揚水管３ａを接続するために、揚水管３ａ上部の管壁に開設した吐出口の口縁に一端を溶接し、水平な管軸心を有し、かつ、口径が揚水管３ａより小さい（排水管１０と同じ口径）円筒状の短直管でなる吐出管３ｂと、吐出管３ｂのすぐ下側の揚水管３ａ外周面に溶接した固定フランジ３ｃと、揚水管３ａの上端開口を塞ぐ蓋３ｄとで構成され、固定フランジ３ｃを地上側で吸水槽２の天壁２ａに固定し、固定フランジ３ｃより上側のＴ字管であるコラム３上部を地上に突出し、固定フランジ３ｃより下側の直管であるコラム３下部を天壁２ａに開設したコラム挿入口２ｂを通して吸水槽２内に垂下している。
【０００４】
水中ポンプ４は、軸流形又は斜流形のポンプ本体４ａと、ポンプ本体４ａの上側に一体化して備える電動モータ４ｂと、ポンプ本体４ａのポンプケーシング下部に取り付ける吸込ベル４ｃとで構成され、吸込ベル４ｃの下端吸込口外周に張り出すフランジ４ｄをコラム３の下端開口内周に張り出すフランジ３ｅの上に重ね合わせ、コラム３の揚水管３ａ内側下部に据え付けている。そして、電動モータ４ｂを起動してポンプ主軸を回転させ、吸水槽２内の貯留液（雨水や汚水等）で満たされたポンプケーシング内でポンプ羽根車を回転させることにより、貯留液は、吸込ベル４ｃの下端吸込口からポンプケーシング内に吸込まれ、ポンプ羽根車にてエネルギを得、案内羽根を通過する間に整流等されて、ポンプケーシング上端の吐出口から吐出され、コラム３の揚水管３ａと電動モータ４ｂとの間を通り、コラム３の上部に揚水され、コラム３の吐出管３ｂから排水管１０に排水される。
【０００５】
符号５は電動モータ４ｂに設けたフックであり、フック５には水中ポンプ４の昇降用のチェーン６が連結してある。チェーン６はコラム３の揚水管３ａ上部内面に設けた掛止具７に吊り持ちさせてある。符号８は電動モータ４ｂから延び出る電源ケーブや制御ケーブル類であり、ケーブル類８はコラム３の蓋３ｄに開口した引出口から地上へと引き出される。符号９はケーブル類８を保持する保持具であり、保持具８によってコラム３の蓋３ｄに開口した引出口を閉鎖している。
【０００６】
そして、コラム３の蓋３ｄを開けることで、水中ポンプ４をクレーン及びチェーン６を用いて吊り上げ、地上に取り出して点検・修理を行うことができる。また、水中ポンプ４の据え付けは、逆にコラム３の揚水管３ａ内にその上部開口から吊り下ろすことで行うことができ、据え付け後、コラム３の蓋３ｄを閉じることで、運転を開始することができる。
【０００７】
このようなコラム式水中ポンプ１は、例えば特許文献１の図１，図８等で知られている。
【特許文献１】特開２００４−６８６０５号公報
【発明の開示】
【発明が解決しようとする課題】
【０００８】
従来のコラム式水中ポンプ１では、コラム３上部をＴ字管構造にすることで、水中ポンプ４の吊り上げ及び吊り下ろしによる取り出し及び据え付けを可能にする水中ポンプ出入口を設けながら、揚水を水平方向に吐出させる吐出口を設けているが、Ｔ字管では揚水の流れを円滑に垂直方向から水平方向に変換することができず、流体損失が大きくなり、ポンプ効率の低下を招いている。
【０００９】
また、水中ポンプ４の据え付け後にコラム３の蓋３ｄを閉じる際、コラム３内のケーブル類８の処理を適正に行わないと、ケーブル類８が流体により吐出管３ｂ側に引っ張られ、揚水管３ａと吐出管３ｂとの接合部にできる不可避の鋭いエッジで損傷する虞がある。
【００１０】
本発明は上記のような実情に鑑みてなされたもので、その目的は、コラム式水中ポンプの流体損失を小さくしてポンプ効率の低下を抑えながら、ケーブル類の損傷も防ぐことができるコラム式水中ポンプを提供することにある。
【課題を解決するための手段】
【００１１】
上記目的を達成するための本発明のコラム式水中ポンプは、コラムの水中ポンプ出入用開口部の上部に着脱自在に接続する曲管でなる吐出管を有することを特徴とする。
【００１２】
上記コラム構造を有するコラム式水中ポンプでは、揚水の流れ方向を曲管でなる吐出管、例えば９０度エルボで円滑に水平方向に変換するので、流体損失が小さくなりポンプ効率の低下を抑えることができる。また、従来のコラム式水中ポンプ構造では不可避の鋭いエッジをなくすことができ、コラム内のケーブル類の損傷を防ぐことができる。そして、９０度エルボを取り外すことで、コラムの水中ポンプ出入用開口部を開けることができるので、従来と同様に水中ポンプの吊り上げ及び吊り下ろしによる取り出し及び据え付けを行うことができる。
【００１３】
また、本発明のコラム式水中ポンプは、前記曲管でなる吐出管の出口断面積が、コラムの水中ポンプ出入用開口部の断面積よりも小さいことが望ましい。この構成を付加したコラム式水中ポンプでは、ポンプの吐出量等に見合った吐出管とすることができるので、水中ポンプを出入するときに着脱する吐出管を軽量化し、作業性を向上させることができる。
【００１４】
さらに、本発明のコラム式水中ポンプは、前記曲管の上流側に管の断面積を上流側から下流側に向かって縮小する縮径部を設けることが望ましい。この構成を付加したコラム式水中ポンプでは、コラムから曲管に円滑に揚水が流入するので、流体損失を小さくすることができる。
【００１５】
また、本発明のコラム式水中ポンプは、吐出管はコラム内に据え付けられた水中ポンプから延び出るケーブル類を地上へと引き出すための引出口を設け、この引出口をケーブル類を保持する保持具を着脱自在に取り付けて閉鎖するとともに、前記保持具は引出口に対する取付部とコラムの水中ポンプ出入用開口部に着脱自在に取り付ける取付部とを備える構成を付加することが望ましい。従来ではケーブル類８の処理は、その損傷を少しでも抑えるために適正に行う必要があるが、コラム３の蓋３ｄを閉じながらの困難な作業となり、しかも最終的には作業者からはケーブル類８が目視できなくり、ケーブル類８を適正に処理することは非常に困難であった。上記構成を付加したコラム式水中ポンプでは、コラム内のケーブル類を吐出管の一部（フランジ部や管壁）から地上に引き出しながら、吐出管に保持させることができる。さらに水中ポンプの取り出し及び据え付け時に、保持具をコラムに取り付けた状態、すなわちケーブル類をコラムに固定した状態で、吐出管の取り外し作業及び取り付け作業を行うことができるので、安全性が向上する。また、水中ポンプを据え付けた後、吐出管を取り外した状態でケーブル類の処理を行うことができるので、ケーブル類を作業性良く簡単に、かつ適正に処理することができる。
【００１６】
また、本発明のコラム式水中ポンプは、前記曲管の上流側端の中心は、前記コラムの中心線に対して曲管の曲り方向に偏心しており、前記ケーブル類を保持する保持具は、前記コラムの中心線に対して曲管とは逆の方向に配置されていることが望ましい。この構成を付加したコラム式水中ポンプでは、ケーブル類を引き出し保持する保持具の設置スペースを大きくとることができるので、より多くのケーブル類を引き出し保持することも可能になるほか、流れ方向とケーブル引き出し方向が離れた方向となるため、ケーブル類が流れに引きづられて損傷する可能性を低減することができる。
【発明の効果】
【００１７】
以上のように本発明のコラム式水中ポンプによれば、コラム式水中ポンプの流体損失を小さくしてポンプ効率の低下を抑えながら、ケーブル類の損傷も防ぐことができるという顕著な効果を奏する。
【発明を実施するための最良の形態】
【００１８】
以下、本発明の実施の形態を図面に基づいて詳述する。図１は本発明の実施の形態に係る第１実施例のコラム式水中ポンプを示す側面図、図２は図１のコラムの平面図、図３は図１のコラム上部の側面図、図４は図１の引出部の断面図である。なお、図１９に示した従来のコラム式水中ポンプと同一構造部分については同じ符号を付して説明する。
【００１９】
図１において、本実施例のコラム式水中ポンプ１１Ａは、吸水槽２の天壁２ａから垂下されたコラム３０Ａと、コラム３０Ａの下部に据え付けられた水中ポンプ４とで構成されている。
【００２０】
コラム３０Ａは、垂直な軸心線（中心線）を有する円筒状の直管でなる揚水管３１と、互いに９０度の角度をなす揚水管３１と排水管１０とを接続するなだらかに流れの方向を変える曲管でなる吐出管（９０度エルボ）３２Ａと、揚水管３１上端の水中ポンプ出入用開口部３１ａ外周に一体に設けた固定フランジ３３とで構成されている。
【００２１】
ここで、９０度エルボ３２Ａは、管径が揚水管３１との接続端部から排水管１０との接続端部にわたって揚水管３１より小さい（排水管１０と同じ管径）管本体３４ａと、管本体３４ａの揚水管３１との接続端部外周に同心で一体に設けた管フランジ３５ａと、管本体３４ａの排水管１０との接続端部外周に同心で一体に設けた他の管フランジ３６ａとを有している。管フランジ３５ａの外径は、揚水管３１の管径より大きく、外周部を固定フランジ３３に重ね合わせることができる。このような９０度エルボ３２Ａは、管フランジ３５ａの外周部をパッキン部材を挟んだ状態で固定フランジ３３の上に重ね合わせて複数のボルトで締め付け、管本体３４ａの揚水管３１との接続端部中心を揚水管３１の軸心線に一致させた状態で、揚水管３１上端の水中ポンプ出入用開口部３１ａの上部に一端を着脱自在に接続している。
【００２２】
そして、固定フランジ３３を地上側で吸水槽２の天壁２ａに固定し、固定フランジ３３より下側の直管であるコラム３下部（揚水管３１）をコラム挿入口２ｂを通して吸水槽２内に垂下するとともに、固定フランジ３３より上側の吐出曲管であるコラム３０Ａ上部（９０度エルボ３２Ａ）を地上に突出し、コラム３０Ａ上部の端部（管本体３４ａの排水管１０との接続端部）を地上で排水管１０に接続させている。
【００２３】
なお、本実施例では水中ポンプ４は、ポンプ本体４ａの上部外周に張り出すフランジ４ｅをコラム３の下端開口内周に張り出すフランジ３ｅの上に重ね合わせ、コラム３の揚水管３１内側下部に据え付けているが、図１９に示した従来のコラム式水中ポンプ１と同様に吸込ベル４ｃの下端吸込口外周に張り出すフランジ４ｄをコラム３の下端開口内周に張り出すフランジ３ｅの上に重ね合わせ、コラム３の揚水管３１内側下部に据え付けてもよい。
【００２４】
上記コラム構造を有する本実施例のコラム式水中ポンプ１１Ａでは、コラム３０Ａの上部に揚水された貯留液は、コラム３０Ａ上部の９０度エルボ３２Ａから排水管１０へ排水される。
【００２５】
このように、揚水の流れ方向をコラム３０Ａ上部の９０度エルボ３２Ａで円滑に方向変換するので、流体損失が小さくなりポンプ効率の低下を抑えることができる。
【００２６】
また、本実施例のコラム式水中ポンプ１１Ａは、コラム３０Ａ上部を構成する９０度エルボ３２Ａに電動モータ４ｂから延び出るケーブル類８を地上へと引き出すための引出部４０Ａを設けている。この引出部４０Ａは、管フランジ３５ａの管本体３４ａと揚水管３１との間に開口した表裏貫通の引出口４１と、引出口４１に外部から着脱自在に取り付けて引出口４１を閉鎖するケーブル類８の保持具４２とで構成されている。ここで、保持具４２は、外周部をパッキン部材を挟んだ状態で引出口４１の周囲に重ね合わせて複数のボルト（図１，図２，図３では図示省略）で締め付ける平板でなる取付部４２ａと、取付部４２ａに設けた表裏貫通のケーブル挿通孔４２ｂと、ケーブル挿通孔４２ｂから取付部４２ａの外面に直角に立ち上げてケーブル類８を挿通させる固定ナット体４２ｃと、固定ナット体４２ｃの内側に装着してケーブル類８を挿通させるリング状のゴムパッキン４２ｅ及びこれを軸方向（厚さ方向）で挟む一対のリング状の座金４２ｆ，４２ｇと、ケーブル類８を挿通させた状態で固定ナット体４２ｃに螺着させて、ゴムパッキン４２ｅを軸方向に押しながらゴムパッキン４２ｅの外周面を固定ナット体４２ｃの内面に密着保持させるとともに、ゴムパッキン４２ｅの内周面をケーブル類８の外周面に密着保持させるロックボルト体４２ｈとで構成されている。
【００２７】
このように、コラム３０Ａ上部の９０度エルボ３２Ａは、コラム３０Ａ内に据え付けられた水中ポンプ４から延び出るケーブル類８を地上へと引き出すための引出口４１を設け、この引出口４１をケーブル類８を保持する保持具４２を着脱自在に取り付けて閉鎖するので、コラム３０Ａ内のケーブル類８をコラム３０Ａ上部の９０度エルボ３２Ａから地上に引き出しながら、９０度エルボ３２Ａに保持させることができる。
【００２８】
また、コラム３０Ａの上部に揚水された貯留液は、コラム３０Ａ上部の９０度エルボ３２Ａから排水管１０へ排水されるので、従来のコラム式水中ポンプ１構造では不可避の流れの方向が急変する部分をケーブル類８が横切ることがなく、かつその部分に形成されていた鋭いエッジをなくすことができ、コラム３０Ａ内のケーブル類８の損傷を防ぐことができる。
【００２９】
なお、本実施例では、引出部４０Ａを９０度エルボ３２Ａの管フランジ３５ａに設けたが、管本体３４ａの管壁に設けてもよい。また、引出部４０Ａは複数本のケーブル類８を一つの保持具４２で一括に９０度エルボ３２Ａに保持させる構造のものを示したが、ケーブル類８を１本ずつ別々に９０度エルボ３２Ａに保持させる構造のものにしてもよい。
【００３０】
そして、コラム３０Ａ上部の９０度エルボ３２Ａを取り外し、コラム３０Ａ下部の揚水管３１上端の水中ポンプ出入用開口部３１ａの開けることで、水中ポンプ４をクレーン及びチェーン６を用いて吊り上げ、地上に取り出して点検・修理を行うことができる。また、水中ポンプ４の据え付けは、逆に揚水管３１内にその上端の水中ポンプ出入用開口部３１ａから吊り下ろすことで行うことができ、据え付け後、９０度エルボ３２Ａを取り付けることで、運転を開始することができる。
【００３１】
次に、図５〜図８を参照して本発明の実施の形態に係る第２実施例のコラム式水中ポンプ１１Ｂを説明する。図５は本発明の実施の形態に係る第２実施例のコラム式水中ポンプを示す平面図、図６は図５のコラム上部の側面図である。なお、第２実施例のコラム式水中ポンプ１１Ｂは、図１〜図４に示した第１実施例のコラム式水中ポンプ１１Ａとケーブル類８の引出部の構造が異なるだけで、他の構造は同じであるため、同一構造部分に同一符号を付して重複する説明を省略する。図７は図５の引出部の断面図、図８は図５のコラム上部の分解状態を示す側面図である。
【００３２】
すなわち本実施例のコラム式水中ポンプ１１Ｂは、コラム３０Ａ上部を構成する９０度エルボ３２Ａに電動モータ４ｂから延び出るケーブル類８を地上へと引き出すための他の引出部４０Ｂを設けている。
【００３３】
他の引出部４０Ｂは、管フランジ３５ａの揚水管３１と管本体３４ａとの間から管フランジ３５ａの外縁との間にわたって部分的に上向き膨出させた膨出部４１ａを設け、この膨出部４１ａによって管フランジ３５ａに横向きの引出口４１Ａを設けるとともに、管フランジ３５ａの外周縁から引出口４１Ａに達する切込４１ｂを設け、このような引出口４１Ａ及び切込４１ｂと、引出口４１Ａに外部から着脱自在に取り付けて引出口４１Ａを閉鎖するケーブル類８の他の保持具４２Ａとで構成されている。
【００３４】
他の保持具４２Ａは、第１実施例の保持具４２構造（４２ａ〜４２ｈ）に加えて、取付部４２ａの下端から固定ナット体４２ｃの下側に直角に一体延出して切込４１ｂに嵌め込む他の取付部４２ｊを設けて構成されている。このような他の保持具４２Ａは、垂直な取付部４２ａ外周部をパッキン部材を挟んだ状態で管フランジ３５ａの膨出部４１ａ端部のフランジ４１ｃに重ね合わせて複数のボルト（図５，図６では図示省略）で締め付けることによって、引出口４１Ａを閉鎖する。また、切込４１ｂに嵌まり込んで管フランジ３５ａと面一になる水平な取付部４２ｊはパッキン部材を挟んだ状態で固定フランジ３３の上に重ね合わせて複数のボルトで締め付け、管フランジ３５ａとともに他の保持具４２Ａを固定フランジ３３にも固定する。
【００３５】
上記他の引出部４０Ｂを設けた本実施例のコラム式水中ポンプ１１Ｂでは、図８に示すように、水中ポンプ４の取り出し及び据え付け時に、保持具４２Ａをコラム３０Ａ下部（揚水管３１）に取り付けた状態、すなわちケーブル類をコラム３０Ａ下部（揚水管３１）に固定した状態で、コラム３０Ａ上部の９０度エルボ３２Ａの取り外し作業及び取り付け作業を行うことができるので、安全性が向上する。また、水中ポンプ４を据え付けた後、９０度エルボ３２Ａを取り外した状態でケーブル類８の処理を行うことができるので、ケーブル類８を作業性良く簡単に、かつ適正に処理することができる。
【００３６】
次に、図９，図１０を参照して本発明の実施の形態に係る第３実施例のコラム式水中ポンプ１１Ｃを説明する。図９は本発明の実施の形態に係る第３実施例のコラム式水中ポンプを示す平面図、図１０は図９のコラム上部の側面図である。なお、第３実施例のコラム式水中ポンプ１１Ｃは、図５〜図８に示した第２実施例のコラム式水中ポンプ１１Ｂと９０度エルボの構造が異なるだけで、他の構造は同じであるため、同一構造部分に同一符号を付して重複する説明を省略する。
【００３７】
すなわち本実施例のコラム式水中ポンプ１１Ｃは、揚水管３１との接続端部中心が揚水管３１の軸心線に対し偏心した位置にある管本体３４ｂを有する他の９０度エルボ３２Ｂを設けている。この他の９０度エルボ３２Ｂは、管本体３４ｂの揚水管３１との接続端部外周に偏心させて一体に設けて揚水管３１の軸心線に中心を一致させた管フランジ３５ａの外周部をパッキン部材を挟んだ状態で固定フランジ３３の上に重ね合わせて複数のボルト（図９，図１０では図示省略）で締め付け、管本体３４ｂの揚水管３１との接続端部中心を揚水管３１の軸心線に偏心させた状態で、揚水管３１上端の水中ポンプ出入用開口部３１ａに一端を着脱自在に接続している。
【００３８】
なお、管本体３４ｂをケーブル類８の引き出し方向に偏心させるとともに、他の引出部４０Ｂの横向きの引出口４１Ａを設けるための膨出部４１ａは管本体３４ａの管壁から直接、管フランジ３５ａの揚水管３１内径と管本体３４ａ外径との間から揚水管３１外径と管フランジ３５ａ外縁との間にわたって部分的に上向きに膨出させてある。
【００３９】
次に、図１１，図１２を参照して本発明の実施の形態に係る第４実施例のコラム式水中ポンプ１１Ｄを説明する。図１１は本発明の実施の形態に係る第４実施例のコラム式水中ポンプを示す平面図、図１２は図１１のコラム上部の側面図である。なお、第４実施例のコラム式水中ポンプ１１Ｄは、図１〜図４に示した第１実施例のコラム式水中ポンプ１１Ａと９０度エルボの構造と引出部の構造が異なるだけで、他の構造は同じであるため、同一構造部分に同一符号を付して重複する説明を省略する。図１３は図１１の引出部の断面図である。
【００４０】
すなわち本実施例のコラム式水中ポンプ１１Ｄは、揚水管３１との接続端部中心が揚水管３１の軸心線に対し偏心した位置にある管本体３４ｃを有する他の９０度エルボ３２Ｃを設けている。具体的には、図９，図１０に示した第３実施例の９０度エルボ３２Ｂがその管本体３４ｂを揚水管３１の軸心線に対して管本体３４ｂの曲り方向とは反対側に偏心させているのに対し、本実施例の９０度エルボ３２Ｃはその管本体３４ｃを揚水管３１の軸心線に対して管本体３４ｃの曲り方向に偏心させている。この他の９０度エルボ３２Ｃは、管本体３４ｃの揚水管３１との接続端部外周に偏心させて一体に設けて揚水管３１の軸心線に中心を一致させた管フランジ３５ａの外周部をパッキン部材を挟んだ状態で固定フランジ３３の上に重ね合わせて複数のボルト（図１１，図１２では図示省略）で締め付け、管本体３４ｃの揚水管３１との接続端部中心を揚水管３１の軸心線に対して管本体３４ｂの曲り方向に偏心させた状態で、揚水管３１上端の水中ポンプ出入用開口部３１ａに一端を着脱自在に接続している。
【００４１】
また、本実施例の他の引出部４０Ｃは、上記のように揚水管３１の軸心線に対して偏心させた９０度エルボ３２Ｃのその偏心によって形成された管フランジ３５ａのスペースに設けている。すなわち管本体３４ｂの曲り方向とは１８０度回転した管本体３４ｂの外周位置において、管フランジ３５ａの外周縁から揚水管３１内径を超えて管本体３４ａの手前までに切込４１ｄを設け、この切込４１ｄの奥側からコラム３０Ａ内のケーブル類８を地上へと引き出している。また、切込４１ｄの奥部（引出口）を閉鎖する保持具としては、図５〜図８に示した第２実施例や図９，図１０に示した第３実施例で用いた保持具４２Ａと同種の他の保持具４２Ｂを用いる。すなわち第２実施例や第３実施例で用いた保持具４２Ａは互いに直角をなす２つの接合面（横向きの引出口４１の周囲にある管フランジ３５ａの膨出部４１ａ端部のフランジ４１ｃと固定フランジ３３）に接合させるために垂直な取付部４２ａと水平な取付部４２ｊを設けて取付部をＬ字状に形成したが、本実施例では保持具４２Ｂは切込４１ｄの奥部（引出口）周囲の水平な管フランジ３５ａと水平な固定フランジ３３に接合させるために、ケーブル類８を挿通保持する側の一方の取付部を水平とし、その水平な取付部４２ａ’の一端側から他の取付部４２ｊ’を水平に延設して取付部を平板状に形成している。このような他の保持具４２Ｂは、水平な取付部４２ａ’外周部をパッキン部材を挟んだ状態で切込４１ｄの奥部（引出口）周囲の管フランジ３５ａに重ね合わせて複数のボルト（図１１，図１２では図示省略）で締め付けるとともに、切込４１ｄに嵌まり込んで管フランジ３５ａと面一になる水平な取付部４２ｊ’をパッキン部材を挟んだ状態で固定フランジ３３の上に重ね合わせて複数のボルト（図１１，図１２では図示省略）で締め付け、切込４１ｄの奥部（引出口）を閉鎖しながら管フランジ３５ａとともに他の保持具４２Ｂを固定フランジ３３にも固定する。
【００４２】
そして、揚水管３１に対する９０度エルボの偏心方向はその曲り方向に関係なく３６０度何れの方向でもよいが、図１１〜図１３に示した第４実施例の９０度エルボ３２Ｃのように、揚水管３１の軸心線に対して管本体３４ｃの曲り方向に偏心させた場合、先に示した第１実施例のコラム式水中ポンプ１１Ａの場合はその引出部４０Ａ，第２実施例のコラム式水中ポンプ１１Ｂの場合は他の引出部４０Ｂ、第３実施例のコラム式水中ポンプ１１Ｃの他の引出部４０Ｂの設置スペースを大きくとることができ、１つの引出部４０Ａ，４０Ｂにより多くのケーブル類８を引き出し保持することができるようになるので、有効である。また、その場合には、流れの方向とケーブル８が引き出し方向が離れた方向となるため、ケーブル類８が流れに引きづられで損傷する可能性を低減することができる。
【００４３】
次に、図１４，図１５を参照して本発明の実施の形態に係る第５実施例のコラム式水中ポンプ１１Ｅを説明する。図１４は本発明の実施の形態に係る第５実施例のコラム式水中ポンプを示す平面図、図１５は図１４のコラム上部の側面図である。なお、第５実施例のコラム式水中ポンプ１１Ｅは、図５〜図８に示した第２実施例のコラム式水中ポンプ１１Ｂと９０度エルボの構造が異なるだけで、他の構造は同じであるため、同一構造部分に同一符号を付して重複する説明を省略する。
【００４４】
すなわち本実施例のコラム式水中ポンプ１１Ｅは、揚水管３１との接続端部にラッパ状の拡径部３４ｆを形成して揚水管３１との接続端部側の口径を揚水管３１の口径に合わせた径違いの管本体３４ｄを有するさらなる他の９０度エルボ３２Ｄを設けている。このさらなる他の９０度エルボ３２Ｄは、管本体３４ｄの揚水管３１との接続端部（拡径部３４ｄの大径側端部）外周に同心で一体に設けた管フランジ３５ａの外周部をパッキン部材を挟んだ状態で固定フランジ３３の上に重ね合わせて複数のボルト（図１４，図１５では図示省略）で締め付け、管本体３４ｄの揚水管３１との接続端部中心を揚水管３１の軸心線に一致させた状態で、揚水管３１上端の水中ポンプ出入用開口部３１ａに一端を着脱自在に接続している。換言すれば、前記曲管である管本体３４ｄの上流側に管の断面積を上流側から下流側に向かって縮小する縮径部３４ｆを設けている。
【００４５】
このようなさらなる他の９０度エルボ３２Ｄでコラム３０Ａ上部を構成した場合、揚水が揚水管３１から９０度エルボ３２Ｄの管本体３４ｄにより円滑に流入し、この９０度エルボ３２Ｄによって流れ方向を円滑に水平方向に変換するので、流体損失がより小さくなり効率の低下をさらに抑えることができるので、有効である。
【００４６】
なお、管本体３４ｄは揚水管３１との接続端部（最上流側）から排水管１０との接続端部（最下流側）にわたって次第に縮径させて径違いにしてもよい。
【００４７】
図１６は複数本のケーブル類８を縦に並べて一括に９０度エルボ３２Ａ，３２Ｂ，３２Ｄに保持させる縦形保持具４２Ａの一例を示す外観図である。図１７は複数本のケーブル類８を横に並べて一括に９０度エルボ３２Ａ，３２Ｂ，３２Ｄに保持させる横形保持具４２Ａの一例を示す外観図である。図１８はケーブル類８を１本ずつ９０度エルボ３２Ａ，３２Ｂ，３２Ｄに保持させるシングル形保持具４２Ａの一例を示す外観図である。
【００４８】
ここで、第１〜第５の実施例では、接続される揚水管３１と排水管１０とがなす角度が直角であるため、コラム３０Ａの水中ポンプ出入用開口部３１ａに着脱自在に接続する曲管でなる吐出管の一例として９０度エルボ３２Ａ，３２Ｂ，３２Ｃ，３２Ｄを示したが、接続される揚水管３１と排水管１０とがなす角度αに応じたβ角度（α＝β）のエルボ（ベンドでも可）３２Ａ，３２Ｂ，３２Ｃ，３２Ｄが用いられることは無論である。また、管本体３４ａ，３４ｂ，３４ｃ，３４ｄの揚水管３１との接続端部外周に固定フランジ３３と接合させる管フランジ３５ａを一体に設けた９０度エルボ３２Ａ，３２Ｂ，３２Ｃ，３２Ｄを示したが、管本体３４ａ，３４ｂ，３４ｃ，３４ｄと管フランジ３５ａを別体に構成し、この別体の管本体３４ａ，３４ｂ，３４ｃ，３４ｄの揚水管３１との接続端部外周に一体に設ける管フランジを、別体の管フランジ３５ａに開口した表裏貫通孔の周囲にパッキンを挟んで複数のボルトで締め付けて分解可能に一体化した構造としてもよい。さらに、水中ポンプ４から軸受の潤滑油配管（給油配管及び排油配管）か延出されている場合もあるが、この場合、潤滑油配管もケーブ類８として各９０度エルボ３２Ａ，３２Ｂ，３２Ｃ，３２Ｄに設けた引出部４０Ａ，４０Ｂ，４０Ｃから地上へと適正に引き出すことができるものである。
【図面の簡単な説明】
【００４９】
【図１】本発明の実施の形態に係るコラム式水中ポンプを示す側面図である（第１実施例）。
【図２】図１のコラムの平面図である。
【図３】図１のコラム上部の側面図である。
【図４】図１の引出部の断面図である。
【図５】本発明の実施の形態に係るコラム式水中ポンプを示す平面図である（第２実施例）。
【図６】図４のコラム上部の側面図である。
【図７】図４の引出部の断面図である。
【図８】図４のコラム上部の分解状態を示す側面図である。
【図９】本発明の実施の形態に係るコラム式水中ポンプを示す平面図である（第３実施例）。
【図１０】図９のコラム上部の側面図である。
【図１１】本発明の実施の形態に係るコラム式水中ポンプを示す平面図である（第４実施例）。
【図１２】図１１のコラム上部の側面図である。
【図１３】図１１の引出部の断面図である。
【図１４】本発明の実施の形態に係るコラム式水中ポンプを示す平面図である（第５実施例）。
【図１５】図１０のコラム上部の側面図である。
【図１６】縦形保持具の一例を示す外観図である。
【図１７】横形保持具の一例を示す外観図である。
【図１８】シングル形保持具の一例を示す外観図である。
【図１９】従来のコラム式水中ポンプを示す縦断面図である。
【符号の説明】
【００５０】
４  水中ポンプ
８  ケーブル類
１１Ａ，１１Ｂ，１１Ｃ，１１Ｄ，１１Ｅ  コラム式水中ポンプ
３０Ａ  コラム
３１ａ  水中ポンプ出入用開口部
３２Ａ，３２Ｂ，３２Ｃ，３２Ｄ  ９０度エルボ（曲管でなる吐出管）
３４ｆ  拡径部（縮径部）
４１，４１Ａ  ４１ｃ  引出口
４２，４２Ａ，４２Ｂ  保持具
４２ａ  保持具の引出口に対する取付部
４２ｊ  保持具のコラムの水中ポンプ出入用開口部に対する取付部
【図１】
2008309003.tif 000003
【図２】
2008309003.tif 000004
【図３】
2008309003.tif 000005
【図４】
2008309003.tif 000006
【図５】
2008309003.tif 000007
【図６】
2008309003.tif 000008
【図７】
2008309003.tif 000009
【図８】
2008309003.tif 000010
【図９】
2008309003.tif 000011
【図１０】
2008309003.tif 000012
【図１１】
2008309003.tif 000013
【図１２】
2008309003.tif 000014
【図１３】
2008309003.tif 000015
【図１４】
2008309003.tif 000016
【図１５】
2008309003.tif 000017
【図１６】
2008309003.tif 000018
【図１７】
2008309003.tif 000019
【図１８】
2008309003.tif 000020
【図１９】
2008309003.tif 000021